(57)【特許請求の範囲】
【請求項１】
大型高層風力発電所の搭体建設位置の地上に搭体建設用の移動型枠を組み立て、その周辺部位に複数本の支柱を建て、前記支柱を昇降するクライミング装置に支持されたクライミングステージを支柱間に架設し、同クライミングステージの上に当該風力発電所の建設に必要とされる発電機器や小型クレーン、ホイスト等の揚重機その他の重量機器類を搭載し、前記クライミングステージの下に前記移動型枠を吊り下げる段階と、
クライミングステージ上の前記小型クレーン、ホイスト等の揚重機を使用して前記支柱へユニット柱を継ぎ足して上方へ伸長させ、クライミング装置によりクライミングステージを支柱に沿って上昇させ、該クライミングステージに吊られた移動型枠を利用してＲＣ造又はＳＲＣ造の大型高層塔体の構築を進める段階と、
大型高層塔体の構築を完成し、その打設コンクリートが強度を発現した後に、前記移動型枠を解体し撤去する段階と、
クライミングステージ上に搭載された発電機器を同ステージ上の小型クレーン、ホイスト等の揚重機を使用して大型高層塔体へ据付け、また、同揚重機を使用して地上からロータを吊り上げ前記発電機器へ取り付けて風力発電所の組み立てを完成する段階と、
その後、前記小型クレーン、ホイスト等の揚重機を使用して支柱をユニット柱毎に解体しつつ、クライミングステージを地上まで下ろし、その後クライミングステージを解体し撤去する段階とからなることを特徴とする、大型高層風力発電所の建設方法。
【請求項２】
大型高層風力発電所の搭体建設位置の周辺部位に複数本の支柱を建て、前記支柱を昇降するクライミング装置に支持されたクライミングステージを支柱間に架設し、同クライミングステージの上に当該風力発電所の建設に必要とされる発電機器や小型クレーン、ホイスト等の揚重機その他の重量機器類を搭載し、また、前記クライミングステージの下に、同じく前記支柱を昇降するクライミング装置に支持された既成型枠作業ステージを支柱間に架設し、この既成型枠作業ステージに塔体建設用の既成型枠を設置する段階と、
クライミングステージ上の前記小型クレーン、ホイスト等の揚重機を使用して前記支柱へユニット柱を継ぎ足して上方へ伸長させ、クライミング装置により先ずクライミングステージを支柱に沿って上昇させ、続いて既成型枠作業ステージをクライミング装置により上昇させ、既成型枠作業ステージに設置した塔体建設用既成型枠を利用してＲＣ造又はＳＲＣ造の大型高層塔体の構築を進める段階と、
大型高層塔体の構築を完成し、その打設コンクリートが強度を発現した後に、前記既成型枠作業ステージ及び既成型枠を解体し撤去する段階と、
クライミングステージ上に搭載された発電機器を同ステージ上の小型クレーン、ホイスト等の揚重機を使用して大型高層塔体へ据付け、また、同揚重機を使用して地上からロータを吊り上げ前記発電機器へ取り付けて風力発電所の組み立てを完成する段階と、
その後、前記小型クレーン、ホイスト等の揚重機を使用して支柱をユニット柱毎に解体しつつ、クライミングステージを地上まで下ろし、その後クライミングステージを解体し撤去する段階とからなることを特徴とする、大型高層風力発電所の建設方法。
【請求項３】
クライミングステージ上に制振装置を設置すること、およびクライミングステージから移動型枠を吊り下げる手段に移動型枠の姿勢制御装置を設置することを特徴とする、請求項１に記載した大型高層風力発電所の建設方法。
【発明の詳細な説明】
【技術分野】
【０００１】
この発明は、例えば大型高層で大出力の風力発電所を建設する技術の分野、特に鉄筋コンクリート造（以下、ＲＣ造と略す場合がある。）又は鉄骨鉄筋コンクリート造（以下、ＳＲＣ造と略す場合がある。）の大型高層塔体を、移動型枠工法により、又はプレキャストコンクリート型枠を使用する既成型枠工法（ＰＣＦ工法）により構築すると共に、その際、風力発電所の主要素である大重量の発電機器（以下、ナセルという場合がある。）や小型クレーン等の揚重機その他の重量機器類を予め移動ステージ（以下、クライミングステージという。）上に搭載して、大型高層塔体の構築を兼ねてクライミングステージと共に持ち上げてゆき、大型高層塔体の構築を完成した後に、クライミングステージ上の発電機器を塔体へ据え付け、ロータの取り付けまで、大型クレーンを使用しないで建設する、大型高層風力発電所の建設方法の技術分野に属する。
【背景技術】
【０００２】
地球環境の保全、保護の要求が高まるにつれて風力発電所の建設が急増加している。現在日本国内の風力発電出力は約７０万ＫＷと言われるが、２０１０年には３００万ＫＷに到達し、その後も更に増加する可能性が高いといわれる。
前記したような風力発電への期待が高まるにつれて、１機当たり出力を増大する大型化を図り、発電単価を低下させることも必要となった。因みに、出力を２倍にすると、発電単価は０．７倍に低下すると試算されている。
風力発電所の大型大出力化は、結局は塔体の背を高くして、ロータ直径を大きくすることに尽きる。既存する６００ＫＷクラスの塔体の地上高さは約４０ｍであるが、建設中の１．５〜２ＭＷクラスの塔体の高さは６５ｍに及ぶ。将来建設が検討されている５ＭＷクラスのロータ直径は１１０ｍ超で、塔体の高さは１２０ｍ超に及ぶし、１０ＭＷクラスの塔体の高さは１７０ｍに及ぶことが試算されている。
【０００３】
上記したような大型風力発電所の建設に必要な塔体は、塔体の高さが１００ｍ以上になるとＲＣ造が優位と言われ、鋼製構造から鉄筋コンクリート造（ＲＣ造）又は鉄骨鉄筋コンクリート造（ＳＲＣ造）へ変更することを余儀なくされている。
いずれにしても、大型風力発電所の建設に関しては、全材料費に占める塔体の割合が２０〜３５％に及ぶと言われ、塔体の建設工期が全体工期に大きく影響することが知られており、風力発電所の建設工事の合理化は、要するに塔体構築のコストダウンと建設工期の短縮化にかかっていることは明らかである。
【０００４】
従来、ＲＣ造又はＳＲＣ造の大型塔体を建設する手段としては、下記の特許文献１に開示されたようなスリップフォーム装置およびこれを使用したスリップフォーム工法が広く採用されている。特許文献２には、高層塔体をスリップフォーム装置で建設するに際し、同装置の作業床に水槽から成る制振装置を設置した技術が開示されている。
【０００５】
更に、下記の特許文献３には、大型クレーンを使用しないで、風力発電所を建設するための組み立て方法及び組み立て装置が開示されている。
特許文献４には、小さいトラッククレーンを使用して、ブロック分けした塔体構造物および発電機、羽根を持ち上げて組み立てることに至便のクライミング装置と、これを利用した構築方法が開示されている。
特許文献５には、プレキャストコンクリート型枠を使用してＲＣ造構造物を構築する既成型枠工法（ＰＣＦ工法）の一例が開示されている。
【０００６】
【特許文献１】特公昭５９−３３７４６号公報
【特許文献２】実用新案登録第２５５７１８４号公報
【特許文献３】特開２００１−２５４６６８号公報
【特許文献４】特開２００３−１８４７３０号公報
【特許文献５】特開平７−８０８２２号公報
【発明の開示】
【発明が解決しようとする課題】
【０００７】
既往技術の代表例として、図５（Ｉ）〜（Ｖ）には、塔体に沿って並立させた超大型クレーンＰにより、高さ方向に複数にブロック分けした鋼製の塔体ブロックａ、ｂ、ｃを順次吊り上げて継ぎ足すことにより塔体Ｔを建設すると共に、更に発電器機（ナセル）Ｑを吊り上げて塔体Ｔへ据え付け、ロータＲを取り付けて風力発電所を建設する工法の枢要な手順を概念的に示している。
また、図６（Ｉ）〜（VI）には、移動型枠装置ＳによりＲＣ造塔体Ｔを一連に建設し、この塔体Ｔに並立させた超大型クレーンＰにより発電器機（ナセル）Ｑを吊り上げて塔体Ｔへ据え付け、更にロータＲを取り付けて風力発電所を建設する工法の枢要な手順を概念的に示している。
上記のように、既往技術による大型風力発電所の建設には超大型クレーンＰの使用が不可欠であった。しかし、既往の適用可能な超大型クレーンＰの背の高さは７０ｍ程度が限度といわれている。
将来建設が予定されている５ＭＷクラスの風力発電所に必要なクレーンの高さは１２０ｍ超に及ぶが、現状、そのような超大型クレーンは我が国には存在しない。もし仮にそのような超大型クレーンを製作できたとしても、汎用性が少ないこともあって大変高価なものになるし、また、道路輸送の規制を受ける関係もあって大きな困難が予想され実現性が低い。
【０００８】
上記のような事情を考慮して、上記の特許文献３には、大型クレーンを使用しないで風力発電所を建設するための組み立て方法及び組み立て装置が開示されている。しかしながら、同公報に具体的な塔体の高さは３０ｍ（段落番号［０００２］）でしかない。また、塔体は三つのタワーユニットを順に積み重ねて完成する方式であり、門型架構はその下部にせり上げ装置を設置して柱を順次せり上げ上昇させる構成であるから、発電装置を予め門型架構の横桁へ吊り上げ仮止めする点は注目できるとしても、とうてい１００ｍ超の塔体の構築に適用可能な技術とは認めがたい。
【０００９】
特許文献４に開示されたクライミング装置も、小さいトラッククレーンを使用して、ブロック分けした塔体構造物および発電機、羽根を持ち上げて組み立てることを内容とする技術であるから、やはり１００ｍ超の塔体の構築に適用可能な技術とはいえない。
【００１０】
本発明の目的は、１００ｍ超の大型高層塔体の構築を、ＳＲＣ造又はＲＣ造として、移動型枠工法により、又はプレキャストコンクリート型枠を使用する既成型枠工法により構築すると共に、その際に、大型風力発電所の主要素である大重量の発電機器（ナセル）や小型クレーン等の揚重機その他の必要とされる重量機器類を予めクライミングステージ上に搭載して、大型高層塔体の構築工程とともに前記重量機器類をクライミングステージで持ち上げてゆき、塔体の構築を完成した後に、前記クライミングステージ上の揚重機を使用してクライミングステージ上の発電機器を塔体頂部へ据え付け、ロータを取り付けて大型大出力の風力発電所を完成するまで、大型クレーンを使用しないで建設する、大型高層の風力発電所の建設方法を提供することである。
【課題を解決するための手段】
【００１１】
上述した従来技術の課題を解決するための手段として、請求項１に記載した発明に係る大型高層風力発電所の建設方法は、
大型高層風力発電所の搭体建設位置の地上に搭体建設用の移動型枠１を組み立て、その周辺部位に複数本の支柱２を建て、前記支柱２を昇降するクライミング装置６に支持されたクライミングステージ３を支柱２、２間に架設し、同クライミングステージ３の上に当該風力発電所の建設に必要とされる発電機器４や小型クレーン５、ホイスト等の揚重機その他の重量機器類を搭載し、前記クライミングステージ３の下に前記移動型枠１を吊り下げる段階と、
クライミングステージ３上の前記小型クレーン５、ホイスト等の揚重機を使用して前記支柱２へユニット柱を継ぎ足して上方へ伸長させ、クライミング装置６によりクライミングステージ３を支柱２に沿って上昇させ、該クライミングステージ３に吊られた移動型枠１を利用してＲＣ造又はＳＲＣ造の大型高層塔体１０の構築を進める段階と、
大型高層塔体１０の構築を完成し、その打設コンクリートが強度を発現した後に、前記移動型枠１を解体し撤去する段階と、
クライミングステージ３上に搭載された発電機器４を同ステージ３上の小型クレーン５やホイスト等の揚重機を使用して大型高層塔体１０へ据付け、また、同揚重機を使用して地上からロータ２０を吊り上げ前記発電機器４へ取り付けて風力発電所の組み立てを完成する段階と、
その後、前記小型クレーン５、ホイスト等の揚重機を使用して支柱２をユニット柱毎に解体しつつ、クライミングステージ３を地上まで下ろし、その後クライミングステージ３を解体し撤去する段階とからなることを特徴とする。
【００１２】
請求項２に記載した発明に係る大型高層風力発電所の建設方法は、
大型高層の風力発電所の搭体建設位置の周辺部位に複数本の支柱２を建て、前記支柱２を昇降するクライミング装置６に支持されたクライミングステージ３を支柱２、２間に架設し、同クライミングステージ３の上に当該風力発電所の建設に必要とされる発電機器４や小型クレーン５、ホイスト等の揚重機その他の重量機器類を搭載し、また、前記クライミングステージ３の下に、同じく支柱２を昇降するクライミング装置６に支持された既成型枠作業ステージ２１を支柱２、２間に架設し、この既成型枠作業ステージ２１に塔体建設用の既成型枠２２を設置する段階と、
クライミングステージ３上の前記小型クレーン５、ホイスト等の揚重機を使用して前記支柱２へユニット柱を継ぎ足して上方へ伸長させ、クライミング装置６により先ずクライミングステージ３を支柱２に沿って上昇させ、続いて既成型枠作業ステージ２１をクライミング装置６により上昇させ、既成型枠作業ステージ２１に設置した塔体建設用既成型枠２２を利用してＲＣ造又はＳＲＣ造の大型高層塔体１０の構築を進める段階と、
大型高層塔体１０の構築を完成し、その打設コンクリートが強度を発現した後に、前記既成型枠作業ステージ２１及び既成型枠２２を解体し撤去する段階と、
クライミングステージ３上に搭載された発電機器４を同ステージ３上の小型クレーン５、ホイスト等の揚重機を使用して大型高層塔体１０へ据付け、また、同揚重機を使用して地上からロータ２０を吊り上げて前記発電機器４へ取り付けて風力発電所の組み立てを完成する段階と、
その後、前記小型クレーン５、ホイスト等の揚重機を使用して支柱２をユニット柱毎に解体しつつ、クライミングステージ３を地上まで下ろし、その後クライミングステージ３を解体し撤去する段階とからなることを特徴とする。
【００１３】
請求項３に記載した発明は、請求項１に記載した大型高層風力発電所の建設方法において、
クライミングステージ３上に制振装置１５を設置すること、およびクライミングステージ３から移動型枠１を吊り下げる手段に移動型枠１の姿勢制御装置１３を設置することを特徴とする。
【発明の効果】
【００１４】
請求項１〜３に記載した発明に係る大型高層風力発電所の建設方法によれば、大型風力発電所の主要素である大重量の発電機器（ナセル）４や小型クレーン５等の揚重機その他の必要とされる重量機器類は、予めクライミングステージ３上に搭載し、移動型枠工法又は既成型枠工法（ＰＣＦ工法）によるＳＲＣ造又はＲＣ造塔体１０の構築を兼ねて、クライミングステージ３と共に持ち上げてゆき、大型高層塔体１０の構築を完成した後に、クライミングステージ３上の小型クレーン５等の揚重機を使用して発電機器４を塔体１０へ据え付け、更に同クライミングステージ３上の小型クレーン５等によりロータ２０を吊り上げて発電機器４へ取り付けるので、所謂大型クレーンを使用しないでも１００ｍ超の大型高層塔体１０の構築及び大型高層風力発電所の建設が可能である。そして、工期の短縮とコストダウンを図ることができ、経済的に安全に既往技術の集大成として大型高層風力発電所を建設することができる。
【発明を実施するための最良の形態】
【００１５】
大型高層風力発電所の搭体建設位置の周辺部位に複数本の支柱２…を建て、前記支柱２を昇降するクライミング装置６に支持されたクライミングステージ３を支柱２…間に架設し、同クライミングステージ３の上に当該風力発電所の建設に必要とされる風力発電機器４や小型クレーン５、ホイスト８等の揚重機、ユニット柱その他の重量機器類を搭載し、前記クライミングステージ３の下に前記移動型枠１を吊り下げるか、又は既成型枠作業ステージ２１を架設して塔体建設用既成型枠２２を設置する。
次に、クライミングステージ３上の前記小型クレーン５、ホイスト８等の揚重機を使用して前記支柱２へユニット柱を継ぎ足して上方へ伸長させ、クライミング装置６によりクライミングステージ３を上昇させ、該クライミングステージ３に吊られた移動型枠を、又は既成型枠作業ステージ２１に設置した塔体建設用既成型枠２２を利用してＲＣ造又はＳＲＣ造の大型高層塔体１０の構築を進める。
こうして大型高層塔体１０の構築を完成し、その打設コンクリートが強度を発現した後に、前記移動型枠１又は既成型枠作業ステージ２１および既成型枠２２を解体して撤去する。
次に、クライミングステージ３上に搭載された風力発電機器４を同ステージ３上の小型クレーン５、ホイスト８等の揚重機を使用して大型高層塔体１０へ据付ける。また、同揚重機を使用して地上からロータ２０を吊り上げ、前記風力発電機器４へ取り付けて風力発電所の組み立てを行う。
その後、前記小型クレーン５、ホイスト８等の揚重機を使用して支柱２をユニット柱毎に解体し撤去しつつ、クライミングステージ３を地上まで下ろし、その後クライミングステージを解体し撤去する。
【実施例１】
【００１６】
図１（Ｉ）〜（VI）は、請求項１及び３記載の発明に係る重量機器を搭載した移動ステージによる大型高層塔体１０の建設、および同大型高層塔体１０による風力発電所の建設方法の実施例を、枢要な工程図として概念的に示している。
この建設方法は、いわゆる移動型枠工法による方法を示したものであって、図１（Ｉ）は大型高層塔体の建設位置に予めコンクリート基礎１４を構築し、その上に、スリップフォーム工法又はジャンプフォーム工法用の移動型枠１を組み立て設置する。更に、前記移動型枠１を中心とする周辺部位の地上に複数本の支柱２…を建て、前記支柱２…を伝って昇降するクライミング装置に支持されたクライミングステージ３（移動ステージ）を組み立てて架設する。そして、前記クライミングステージ３上に、当該大型高層塔体１０を利用する風力発電所の建設に必要とされる、例えば風力発電機器（ナセル）４や小型クレーン５などの重量機器類を搭載し、前記クライミングステージ３の下に、前記移動型枠１を吊り下げた段階を示している。
【００１７】
因みに、図２と図３は、構築するべき大型高層塔体１０を中心としてその周囲に４本の支柱２を建て、可及的に軽量で剛強な鉄骨フレーム構造に床張りをして製作したクライミングステージ３が、前記４本の支柱２に対して、それぞれ自己上昇機能を有するクライミング装置６により支持され架設された構成を示している。支柱２は、建設の終了後には解体・撤去されるため、例えば鋼管の両端に継手を設けて一定の単位長さに製作されたユニット柱を用意し、これを必要に応じてクライミングステージ３上の小型クレーン５で吊り上げて継ぎ足し上方へ伸長させる方法により順次に建て方される。クライミング装置６については、既に種々公知、周知であるため具体的に詳しく図示することは省略したが、例えば本出願人の特許第３３８８２８６号公報に開示した昇降用ジャッキと上下のロック機構、及び支柱に設けた反力プレート等から成る構成を採用して実施することができる。当然、前記ユニット柱には予め反力プレートを設けておくことになる。
【００１８】
精密機器である風力発電機器（ナセル）４は、図２に示したように、クライミングステージ３上に相当大きさの小屋７を設けて、この小屋７の中へ収納して可及的に保護、保全した構造で搭載する。
図３に示すように、小屋７の底面は予め開放した構造とし、風力発電機器（ナセル）４は前記開放面部を水平方向に横断する受け台を撤去可能に設置して載せた形に搭載し、最終的に塔体１０の頂部へ下ろして据付ける作業に備えている。クライミングステージ３の下面部には、図３に示したように、移動型枠１によるＲＣ造塔体１０の構築作業に必要な鉄骨や鉄筋の組み立て作業、移動型枠１の保守、地上のコンクリートポンプ車から圧送されるコンクリート輸送管の支持などに多用されるホイスト８及びその走行レール９や横行レール１１等が設置されている。クライミングステージ３から移動型枠１を吊り下げる吊り具１２には、主に各吊り具１２の軸方向長さを伸縮する自動化ターンバックル機構ともいうべき姿勢制御装置１３が設置されている。
クライミングステージ３上には、１００ｍ超に及ぶ超高層作業の安全性、安定性を確保するために必要な制振装置１５を設置するほか、各クライミング装置６…や姿勢制御装置１３の集中管理・制御のため、及び地上との交信等を行うための集中管理・制御盤１６が設置される。クライミングステージ３上に載った作業員を保護するための養生手段、及び地上との交通手段については図示を省略した。
【００１９】
移動型枠１についても、例えば上記特許文献１及び２に開示されたスリップフォーム装置を挙げるまでもなく、また、ジャンプアップ工法及びその装置も既に種々公知、周知であるため具体的に詳しく図示することは省略した。鉄骨や鉄筋の組み立てとコンクリートの打設を連続的に行って能率良く、高精度に行う構成については、多くの説明を要しないであろう。但し、本発明の場合、移動型枠１は上記クライミング装置６によるクライミングステージ３の自己上昇移動にしたがい引き上げられ上昇移動するので、基本的に既往のクライミング装置に見られるクライミングジャッキ及び同クライミングジャッキが伝い昇るクライミングロッドは必要ない。したがって、ＳＲＣ造又はＲＣ造塔体１０の鉄骨や鉄筋の混雑度を低減する効果が大きいことを特に説明しておく。
もっとも、移動型枠１の姿勢制御の完全を期し、或いは容易性を図る意味に於いて、最小限度のクライミングロッドおよびクライミングジャッキを併設することは好ましい。便宜上、図示は省略したが、移動型枠１の外周にＳＲＣ造又はＲＣ造塔体１０の鉄骨の組み立て、加工や鉄筋の配筋、コンクリート打設その他の作業用足場が併設される。
【００２０】
再び図１の説明に戻る。上記した構成で、支柱２に対するクライミングステージ３の架設と、クライミングステージ３上に当該大型高層塔体１０を利用する風力発電所の建設に必要とされる風力発電機器（ナセル）４や小型クレーン５など重量機器類の搭載、並びに移動型枠１の組み立てと、前記クライミングステージ３へ吊り下げる準備が全て整うと、次には図１（II）に示す段階へ進む。即ち、上記したように地上に予め用意した、又はクライミングステージ３上の小型クレーン５で吊り上げて同ステージ３上に予め積んでおいたユニット柱を、やはり小型クレーン５で吊り上げ、支柱２の上へ積み重ね継ぎ足す方法により、各支柱２を順次に上方へ立ち上げて伸長する建て方を行う。      
しかる後に、クライミングステージ３を上記クライミング装置６…の同期制御により自己上昇させると共に該クライミングステージ３に吊られた移動型枠１をも上昇移動させる。そして、この移動型枠１を利用して鉄骨や鉄筋を組み立て、配筋等をして、コンクリートを打設する作業を進め、上方へ行くにしたがい漸次直径が縮小する円錐台形状等の大型高層塔体１０の構築を進める（図１（II））。スリップフォーム工法の場合は、移動型枠１を連続的に上昇移動させ、ジャンプフォーム工法の場合は一定のストローク（又はステップ）ずつジャンプアップさせる工程の繰り返しにより、搭体の構築を進めることは周知の通りである。
因みに、地上１２０ｍ超の大型高層塔体１０の下端部直径は約１０ｍないし１２ｍ位、壁厚は６０ｃｍ〜１ｍ程度と試算される。
【００２１】
図１（III）は、上記のようにして大型高層塔体１０の構築を頂上まで完成し、打設コンクリートが必要とされる強度を発現した後に、移動型枠１を解体し撤去した段階を示す。
また、図１（IV）は、クライミングステージ３上のナセル４を吊り下ろして、直下の大型高層塔体１０の頂部へ据付ける作業を行う段階を示している。
更に図１（Ｖ）は、クライミングステージ３上の小型クレーン５を使用して地上からロータ２０を吊り上げた段階を示す。
そして、図１（VI）は、ロータ２０をナセル４へ取り付けて大型大出力の風力発電所の組み立てを完成し、支柱２およびクライミングステージ３の解体、撤去までの全工程を終了した段階を示している。
ちなみに、支柱２の解体、撤去は、クライミングステージ３の中央部を、先に構築した大型高層塔体１０が通過する程度にまで解体して空所（貫通部）を形成した上で、同クライミングステージ３を一定ストローク下降させるたびに、小型クレーン５を使用して支柱２をユニット柱毎に解体する作業を繰り返す。そして、地上にまで下降したクライミングステージ３は、地上レベルにて残る外周部分を完全に解体して撤去する。
上述の通り、従来大型高層風力発電所の建設に不可欠であった大型クレーンの必要性は、クライミングステージ３上の小型クレーン５で間に合わせられ、無用である。よって、安価に短工期に大型高層風力発電所の建設を行うことができる。もし仮に、ナセル４、ロータ２０が極端に大型、大重量で、前記クライミングステージ３上の小型クレーン５で間に合わないときは、そうした大重量物の揚重専用のウインチを設置したり、クライミングステージ３上に搭載する小型クレーン５の台数を更に増やす等々の対処が必要である。
【実施例２】
【００２２】
次に、図４（Ｉ）〜（VI）は、重量機器を搭載した移動ステージを利用する大型高層風力発電所の建設方法の実施例を、枢要な工程図について概念的に示している。
本実施例の建設方法は、いわゆる既成型枠として通例ハーフプレキャストコンクリートを使用する既成型枠工法（ＰＣＦ工法）による方法を示している。
図４（Ｉ）では、大型高層塔体１０の建設位置に予め構築したコンクリート基礎１４を中心とする周辺部位に複数の支柱２…を建て、前記支柱２を昇降するクライミング装置に支持されたクライミングステージ３（移動ステージ）を上位に架設する。その下側に既成型枠作業ステージ２１を、やはり支柱２を昇降するクライミング装置で支持された構造で架設して設置する。前記クライミングステージ３上に当該大型高層塔体１０、および大型風力発電所の建設に必要とされる風力発電機器４（ナセル）や小型クレーン５の重量機器類を、上記実施例１と同様に搭載する。図４（Ｉ）は、前記既成型枠作業ステージ２１へ初期の塔体建設用既成型枠２２を設置し、これを利用してＳＲＣ造又はＲＣ造の大型高層塔体１０の構築を開始する段階を示している。
前記クライミングステージ３の構造、およびクライミング装置の構成などは、上記実施例１に於いて説明した内容と共通するので、共通する符号を付けて、ここで再び同様な説明を繰り返すことは省く。また、前記既成型枠作業ステージ２１の構造、およびクライミング装置の構成などについても、前記クライミングステージ３について上記実施例１で説明した内容と多く共通する構成なので、ここで再び同様な説明を繰り返すことは省く。
【００２３】
図４（II）及び（III）は、上記支柱２を継ぎ足して上方へ伸長するように建て、前記クライミングステージ３を先行して上昇させ、つづいて既成型枠作業ステージ２１を一施工高さ分（ワンステップ）ずつ上昇させ、次々に塔体建設用既成型枠（…２２Ｍ、２２Ｎまで）を組み立て設置し、鉄骨や鉄筋の組み立て、及びコンクリート打設を行ってＳＲＣ造又はＲＣ造大型高層塔体１０の構築を繰り返し進めた段階を示す。
【００２４】
つづいて図４（IV）は、大型高層塔体１０の構築を完成し、その打設コンクリートが必要な強度を発現した後に、前記既成型枠作業ステージ２１を解体し、クライミングステージ３上の発電機器（ナセル）４を下ろして大型高層塔体１０へ据付けて風力発電所の組み立てを行う段階を示す。
更に図４（Ｖ）は、クライミングステージ３上の小型クレーン５を使用して地上からロータ２０を吊り上げる作業段階を示す。
そして、図４（VI）は、ロータ２０を発電機器（ナセル）４へ取り付けて大型大出力の風力発電所（大型高層塔体構造物）の組み立てを完成し、支柱２およびクライミングステージ３の解体、撤去まで終了した段階を示している。
上記実施例１に於いて説明したように、支柱２の解体、撤去は、クライミングステージ３の中央部を、先に構築した大型高層塔体１０が通過する程度に解体した上で、同クライミングステージ３を一定ストローク下降させるたびに、小型クレーン５を使用して支柱２をユニット柱毎に解体する工程を繰り返す。そして、地上にまで下降したクライミングステージ３は、地上レベルにてその外周部分を完全に解体して撤去する。
こうして従来不可欠であった大型クレーンを必要とすることなく、大型高層風力発電所の建設を安価に短工期に行うことができる。
【００２５】
なお、以上に本発明を図示した実施例に基づいて説明してきたが、勿論、本発明は上記の各実施例に限定されるものではない。本発明の目的と要旨、および技術的思想を逸脱しない限り、いわゆる当業者が必要に応じて行う設計変更や変形、応用も含めて広く多様に実施されることを、ここに念のため申し添える。
【図面の簡単な説明】
【００２６】
【図１】（Ｉ）〜（VI）は本発明の実施例１の枢要な工程を順に概念的に示した説明図である。
【図２】建設途中の段階を鳥瞰して示した斜視図である。
【図３】建設装置や設備の構成を分解して示した斜視図である。
【図４】（Ｉ）〜（VI）は本発明の実施例２の枢要な工程を順に概念的に示した説明図である。
【図５】（Ｉ）〜（Ｖ）は従来の建設方法の枢要な工程を順に概念的に示した説明図である。
【図６】（Ｉ）〜（VI）は従来の異なる建設方法の枢要な工程を順に概念的に示した説明図である。
【符号の説明】
【００２７】
１      移動型枠
２      支柱
３      クライミングステージ
４      発電機器
６      クライミング装置
１０    大型高層塔体
２０    ロータ 
２１    既成型枠作業ステージ
２２    既成型枠
５      小型クレーン
８      ホイスト
１５    制振装置
１２    吊り下げ手段
１３    姿勢制御装置
【図１】
0004476096.tif 000002
【図２】
0004476096.tif 000003
【図３】
0004476096.tif 000004
【図４】
0004476096.tif 000005
【図５】
0004476096.tif 000006
【図６】
0004476096.tif 000007